(57)【特許請求の範囲】
【請求項１】
電力、動力、照明等の電気設備を監視制御する監視制御装置であって、本体装置と、本体装置を床に固定するための断面コ字状の固定金具とを有し、本体装置の底面と固定金具の上面板には、それぞれ対応する位置にボルト孔を形成し、それぞれのナットの中心軸とねじ山ピッチが一本のボルトのそれと合致するように、ボルトを挿通した状態で、本体装置の内底面側のボルト孔の周囲にナットを固着するとともに、固定金具の上面板の下面側のボルト孔の周囲にもナットを固着して、ボルトを固定金具の上面板の下面側からと本体装置の内底面側からとのいずれの側からでも挿入して本体装置と固定金具を固定し得るよう構成してなることを特徴とする監視制御装置。
【発明の詳細な説明】
【０００１】
【発明の属する技術分野】
本発明は、床面等に固定し得る監視制御装置に関するものである。
【０００２】
【従来の技術】
監視制御装置は、ビル等の電力、動力、照明、防災、防犯などの各種電気設備の監視、制御を行うものである。近年、監視制御装置の本体装置は小型化がされつつあり、また床下配線が普及してきており本体装置への電気配線も床下からなされることも多くなってきた。そのためパソコンやプリンタを置くためのデスクの側面やデスクの下に本体装置を設置することがある。そして、監視制御装置をデスクの側面や下に設置する場合には、施工後のメンテナンスの時に、監視制御装置を移動できることが望ましく、図２に示すようにキャスター付きの監視制御装置が用いられている。
【０００３】
また、監視制御装置を所定の位置に設置するときには、地震等による横転を防ぐために監視制御装置を床に固定する必要がある。従来の固定方法は、図２（ａ），（ｂ）に示すように監視制御装置の本体装置１の底面にナット４を固着しておき、固定金具２側からのボルト３で本体装置１を固定金具２に固定する。固定金具２は床面に固定され、その上に本体装置１を設置固定される。図２（ｂ）において、左側はＢ面側下方からボルト３を固定金具２のボルト孔から本体装置１のボルト孔に通し、ナット４に締めつけて、本体装置１と固定金具２とを固定する。図２（ｂ）の右側は、Ｃ面側下方から同様にボルト３により本体装置１と固定金具２とを固定する。
【０００４】
修理、保守の際に、監視制御装置を移動する必要がある場合には、Ｂ面側、Ｃ面側とも、ボルト３を回転させて取り外し、固定金具２と本体装置１の固定を解除して、キャスターを利用し本体装置１を移動する。
【０００５】
【発明が解決しようとする課題】
しかし、デスクの下等に監視制御装置を設置する場合には、Ｂ面側、Ｃ面側のいずれか片側だけしかボルト３の取り付け、取り外し作業を行うことができない場合がある。
【０００６】
本発明は上記の問題点を解決するために成されたもので、その目的とするところは、監視制御装置を固定金具に取り付け及び取り外すことが容易な監視制御装置を提供することにある。
【０００７】
【課題を解決するための手段】
上記した課題を解決するために、請求項１記載の発明では、電力、動力、照明等の電気設備を監視制御する監視制御装置であって、本体装置と、本体装置を床に固定するための断面コ字状の固定金具とを有し、本体装置の底面と固定金具の上面板には、それぞれ対応する位置にボルト孔を形成し、それぞれのナットの中心軸とねじ山ピッチが一本のボルトのそれと合致するように、ボルトを挿通した状態で、本体装置の内底面側のボルト孔の周囲にナットを固着するとともに、固定金具の上面板の下面側のボルト孔の周囲にもナットを固着して、ボルトを固定金具の上面板の下面側からと本体装置の内底面側からとのいずれの側からでも挿入して本体装置と固定金具を固定し得るよう構成する。
【０００８】
【発明の実施の形態】
本発明の一実施形態を図１に基づいて詳細に説明する。図１は本発明の一実施の形態の監視制御装置の設置例を示す図であり、（ａ）は側面図、（ｂ）は正面から見た断面図である。
【０００９】
監視制御装置の本体装置１は、図１に示すように直方体形状をなし、高さは収納するデスクの高さより小さい寸法とし、奥行きは略デスクの奥行き程度に形成してあり、幅はデスクに椅子が収納できるように、本体装置１の奥行きの半分程度に形成してある。
【００１０】
本体装置１の下端にはキャスター７が設けてあり、本体装置１を移動させることができる。本体装置１内には、監視制御部８が配設してある。
【００１１】
一方、固定金具２は断面コ字状に形成してあり、上面板２ａと、これより幅の広い下面板２ｂとを備えている。下面板２ｂにより固定金具２は床面に固定される。
【００１２】
本体装置１の底面と固定金具の上面板２ａには、それぞれ対応する位置にボルト孔（図示せず）を形成している。本体装置１の内底面側のボルト孔の周囲にナット５を固着する。対応する固定金具２の上面板２ａの下面側のボルト孔の周囲にナット６を固着する。
【００１３】
ボルト３は、固定金具２の上面板２ａの下面側から挿入することもでき、本体装置１と固定金具２とを固定することができる。またボルト３は、本体装置１の内底面側からも挿入して、本体装置１と固定金具２とを固定することができる。
【００１４】
尚、本体装置１側のナット５と固定金具２側のナット６とは、それぞれ溶接等により固定されるが、それぞれのナット５，６の中心軸とねじ山ピッチが、一本のボルト３のそれと合致するように、ボルト３を挿通した状態で、ナット５，６を本体装置１と固定金具２に溶着して製造する。
【００１５】
また、ボルト３とナット５，６による固定手段は、通常、本体装置１の底面四隅に４ヵ所設けておく。
【００１６】
次に、本体装置１と固定金具２との取り付け、及び取り外し方法について説明する。図１（ｂ）の場合は、本体装置１のＢ面側には障害物が存在しないが、Ｃ面側に、壁面やデスクの遮蔽された脚等がある場合には、Ｂ面側からは、固定金具２の上面板２ａの下方側からボルト３を挿入して締めつけることができる。Ｃ面側は障害物により、同様には締めつけ作業ができないので、Ｂ面側から本体装置１の内部に手を挿入して、本体装置１の内面側から、ボルト３をナット５，６に挿入して固定する。
【００１７】
修理、保守のために、デスク等の下から本体装置１を移動させる場合には、本体装置１のＢ面側から図１（ｂ）の左側のボルト３を取り外し、またＣ面側のボルト３は、Ｂ面側から本体装置１の内部に手を通してボルト３を取り外す。監視制御装置の本体装置１は固定金具２から外せる状態となり、デスク等の外に移動して修理、保守をすることができる。作業後、本体装置１はデスク等の下に戻し、固定金具２に固定する。
【００１８】
尚、壁面等の障害物は左右どちらにあっても、対応することができる。
【００１９】
【発明の効果】
請求項１記載の発明によれば、監視制御装置の左右のどちらかに障害物を有する場所に監視制御装置を設置する場合においても、監視制御装置を固定金具に容易に取り付け、取り外しすることができ、修理、保守等の際には、障害物から容易に取り出してその作業を行うことができるという効果を奏する。
【図面の簡単な説明】
【図１】本発明の一実施の形態の監視制御装置の設置例を示す図であり、（ａ）は側面図、（ｂ）は正面から見た断面図である。
【図２】従来例の監視制御装置の設置例を示す図であり、（ａ）は側面図、（ｂ）は正面から見た断面図である。
【符号の説明】
１      本体装置
２      固定金具
２ａ    上面板
３      ボルト
５      ナット
６      ナット
【図１】
0003817852.tif 000002
【図２】
0003817852.tif 000003